(57)【要約】【課題】長寿命化が図れる光学装置を提供する。【解決手段】光学装置４５は、複数の色光を色光毎に画像情報に応じて変調する複数の光変調装置４５１と、各光変調装置４５１に対向する複数の光束入射側端面を有し各光変調装置４５１で変調された光束を合成して画像光を形成する色合成光学装置４５５と、色合成光学装置４５５の光束入射側端面および光変調装置４５１の間に介在配置され、光変調装置４５１を色合成光学装置４５５に固定するための保持部材４５７と、保持部材４５７および光変調装置４５１の間に介在配置され、保持部材４５７および光変調装置４５１の双方に当接して保持部材４５７および光変調装置４５１を互いに離間する方向に押圧する弾性部材４５８とを備える。【選択図】図３
2008224906.tif 000002
【特許請求の範囲】
【請求項１】
複数の色光を色光毎に画像情報に応じて変調する複数の光変調装置と、各光変調装置に対向する複数の光束入射側端面を有し各光変調装置で変調された光束を合成して画像光を形成する色合成光学装置とを備えた光学装置であって、
前記光束入射側端面および前記光変調装置の間に介在配置され、前記光変調装置を前記光束入射側端面に固定するための保持部材と、
前記保持部材および前記光変調装置の間に介在配置され、前記保持部材および前記光変調装置の双方に当接して前記保持部材および前記光変調装置を互いに離間する方向に押圧する弾性部材とを備えている
ことを特徴とする光学装置。
【請求項２】
請求項１に記載の光学装置において、
前記光変調装置は、入射した光束を画像情報に応じて変調する光変調素子と、少なくとも２つの固定用孔を有し前記光変調素子を保持する保持枠とを備え、
前記保持部材は、板状の基部と、前記基部から突設され前記保持枠の前記固定用孔に挿通されるピンとを備え、
前記弾性部材は、
前記保持部材の前記ピンを挿通可能とする筒形状を有し、前記ピンを挿通した状態で前記基部および前記保持枠の双方に当接して前記保持部材および前記光変調装置を互いに離間する方向に押圧する
ことを特徴とする光学装置。
【請求項３】
請求項１または請求項２に記載の光学装置において、
前記弾性部材は、前記保持部材および前記光変調装置の間での弾性変形時において、１５ｇ〜４５ｇの範囲の弾性力を有している
ことを特徴とする光学装置。
【請求項４】
請求項１から請求項３のいずれかに記載の光学装置において、
前記弾性部材は、熱伝導性材料から構成されている
ことを特徴とする光学装置。
【請求項５】
光源装置と、請求項１から請求項４のいずれかに記載の光学装置と、前記光学装置にて形成された画像光を拡大投射する投射光学装置とを備えていることを特徴とするプロジェクタ。
【発明の詳細な説明】
【技術分野】
【０００１】
本発明は、光学装置、およびプロジェクタに関する。
【背景技術】
【０００２】
従来、３枚の液晶パネル（光変調装置）により色光毎に画像情報に応じて変調し、変調後の各色光をクロスダイクロイックプリズム（色合成光学装置）で合成して画像光を形成する、いわゆる三板式の光学装置を備えたプロジェクタが知られている。
このような光学装置では、クロスダイクロイックプリズムに液晶パネルを一体に組み付けて、組立性の向上を図っている（例えば、特許文献１参照）。
特許文献１に記載の光学装置は、クロスダイクロイックプリズムおよび液晶パネルの間に介在配置され、光学補償板等の光学素子を支持しつつ液晶パネルをクロスダイクロイックプリズムの光束入射側端面に固定するための保持部材を備えている。この保持部材は、矩形板状体と、この矩形板状体の四隅から突設され、液晶パネルを保持する保持枠の孔に挿通されるピンとを備える。
【０００３】
そして、上述した光学装置は、以下に示すように製造される。
先ず、光学素子が取り付けられた保持部材の光束射出側端面に光硬化型接着剤を塗布し、該光束射出側端面をクロスダイクロイックプリズムの光束入射側端面に密着させる。
次に、保持部材の各ピンの外周部分に光硬化型接着剤を塗布する。
次に、クロスダイクロイックプリズムに対して液晶パネルを位置調整するための位置調整治具に液晶パネル（保持枠）を保持させ、上述した保持部材の各ピンを保持枠の各孔に挿通させる。
そして、光硬化型接着剤が未硬化な状態で、位置調整治具を用いて、クロスダイクロイックプリズムに対して液晶パネルを移動させ、保持部材とクロスダイクロイックプリズムとの接合面を摺動面としてアライメント調整を実施し、保持部材と保持枠との接合面、すなわちピンを介して摺動させることでフォーカス調整を実施する。
所定の位置に液晶パネルを位置付けた後、紫外線等を照射させることで、上述した光硬化型接着剤を硬化させ、保持部材を介してクロスダイクロイックプリズムに対して液晶パネルを固定する。
【０００４】
【特許文献１】特開２００３−１２１９３１号公報（図１７）
【発明の開示】
【発明が解決しようとする課題】
【０００５】
ところで、近年では、光学装置の小型化が促進され、クロスダイクロイックプリズムも小型化している。すなわち、保持部材とクロスダイクロイックプリズムとの接着面積が小さいものとなっている。
このため、クロスダイクロイックプリズムに対する液晶パネルの位置調整時において、保持部材自体の自重や、保持部材が支持する光学素子の自重により、保持部材がクロスダイクロイックプリズムの光束入射側端面に密着せずに一部が離間した状態となりやすい。そして、このような状態で、光硬化型接着剤を硬化させて固定した場合には、保持部材およびクロスダイクロイックプリズム間の固定強度が低下し、長期間の使用により、クロスダイクロイックプリズムから保持部材が外れてしまう等の不具合が生じて光学装置の長寿命化が図れない。
【０００６】
本発明の目的は、長寿命化が図れる光学装置、およびプロジェクタを提供することにある。
【課題を解決するための手段】
【０００７】
本発明の光学装置は、複数の色光を色光毎に画像情報に応じて変調する複数の光変調装置と、各光変調装置に対向する複数の光束入射側端面を有し各光変調装置で変調された光束を合成して画像光を形成する色合成光学装置とを備えた光学装置であって、前記光束入射側端面および前記光変調装置の間に介在配置され、前記光変調装置を前記光束入射側端面に固定するための保持部材と、前記保持部材および前記光変調装置の間に介在配置され、前記保持部材および前記光変調装置の双方に当接して前記保持部材および前記光変調装置を互いに離間する方向に押圧する弾性部材とを備えていることが好ましい。
【０００８】
本発明では、光学装置は、保持部材および光変調装置の間に介在配置される弾性部材を備える。そして、色合成光学装置に対する光変調装置の位置調整時において、位置調整治具に光変調装置を保持させ、色合成光学装置の光束入射側端面（保持部材）に対向する位置に光変調装置を位置付けることで、弾性部材が保持部材および光変調装置に当接して弾性変形し、弾性力によって、保持部材を色合成光学装置の光束入射側端面に押圧することができる。このため、色合成光学装置に対する光変調装置の位置調整時において、保持部材を色合成光学装置の光束入射側端面に確実に密着させることができる。すなわち、位置調整の後、光硬化型接着剤を硬化させて固定した場合には、保持部材および色合成光学装置間の接着面積が低下することなく固定強度を十分に大きいものとし、長期間、使用した場合であっても、色合成光学装置から保持部材が外れてしまう等の不具合が生じることがない。したがって、光学装置の長寿命化が図れる。
また、光学装置の構成として弾性部材を採用しているので、色合成光学装置に対する光変調装置の位置調整時において、別途、保持部材を色合成光学装置の光束入射側端面に押し付ける治具等が不要となり、光学装置の製造効率を向上できる。
【０００９】
本発明の光学装置では、前記光変調装置は、入射した光束を画像情報に応じて変調する光変調素子と、少なくとも２つの固定用孔を有し前記光変調素子を保持する保持枠とを備え、前記保持部材は、板状の基部と、前記基部から突設され前記保持枠の前記固定用孔に挿通されるピンとを備え、前記弾性部材は、前記保持部材の前記ピンを挿通可能とする筒形状を有し、前記ピンを挿通した状態で前記基部および前記保持枠の双方に当接して前記保持部材および前記光変調装置を互いに離間する方向に押圧することが好ましい。
本発明では、弾性部材は、筒形状を有し、保持部材のピンを挿通した状態で保持部材に対して設置される。このことにより、例えば、弾性部材を板状の保持部材と保持枠との間に単に配置する構成と比較して、弾性部材を容易に設置でき、光学装置の製造効率をさらに向上できる。
【００１０】
本発明の光学装置では、前記弾性部材は、前記保持部材および前記光変調装置の間での弾性変形時において、１５ｇ〜４５ｇの範囲の弾性力を有していることが好ましい。
本発明によれば、例えば、弾性部材が弾性変形時において１５ｇ未満の弾性力を有している場合には、弾性部材による保持部材を色合成光学装置の光束入射側端面に押し付ける力が不足するところ、弾性部材が１５ｇ以上の弾性力を有しているので、十分に大きい力で押し付けることができ、保持部材を色合成光学装置の光束入射側端面に確実に密着させることができる。また、例えば、弾性部材が弾性変形時において４５ｇ超の弾性力を有している場合には、光学装置を製造した後、弾性部材の大きい弾性力の影響により、保持部材および光変調装置を互いに離間する方向に押圧し、保持部材から光変調装置が外れてしまう不具合が生じる恐れがあるところ、弾性部材が４５ｇ以下の弾性力を有しているので、必要以上に保持部材および光変調装置間に応力を与えることがない。このため、上述した不具合を生じさせることなく光学装置の長寿命化が図れる。
【００１１】
本発明の光学装置では、前記弾性部材は、熱伝導性材料から構成されていることが好ましい。
本発明では、弾性部材が熱伝導性材料から構成されているので、弾性部材が光変調装置に当接した際に光変調装置に熱伝達可能に接続し、光変調装置に生じた熱を弾性部材に伝達させることができる。このため、光変調装置の冷却効率を向上させることができる。
【００１２】
本発明のプロジェクタは、光源装置と、上述した光学装置と、前記光学装置にて形成された画像光を拡大投射する投射光学装置とを備えていることを特徴とする。
本発明では、プロジェクタは、上述した光学装置を備えているので、上述した光学装置と同様の作用および効果を享受できる。
また、プロジェクタは、長寿命化が図れる光学装置を備えているので、長期間、使用した場合であっても、投影画像を良好に維持し、該プロジェクタ自体の長寿命化も図れる。
【発明を実施するための最良の形態】
【００１３】
以下、本発明の実施の一形態を図面に基づいて説明する。
〔プロジェクタの構成〕
図１は、プロジェクタ１の概略構成を模式的に示す図である。
プロジェクタ１は、光源から射出される光束を画像情報に応じて変調してカラー画像（画像光）を形成し、このカラー画像をスクリーン（図示略）上に拡大投射する。このプロジェクタ１は、図１に示すように、略直方体状の外装筐体２と、投射光学装置としての投射レンズ３と、光学ユニット４等を備える。
なお、図１において、具体的な図示は省略したが、外装筐体２内において、投射レンズ３および光学ユニット４以外の空間には、プロジェクタ１内部の各構成部材を冷却する冷却ファン等を備えた冷却ユニット、プロジェクタ１内部の各構成部材に電力を供給する電源ユニット、およびプロジェクタ１内部の各構成部材を制御する制御装置等が配置されるものとする。
【００１４】
外装筐体２は、プロジェクタ１の天面、前面、背面、および側面をそれぞれ構成するアッパーケース、およびプロジェクタ１の底面、前面、背面、および側面をそれぞれ構成するロアーケース等で構成される。そして、各ケースは、互いにねじ等で固定されている。
投射レンズ３は、複数のレンズを組み合わせた組レンズとして構成され、光学ユニット４にて形成されたカラー画像をスクリーン上に拡大投射する。
【００１５】
光学ユニット４は、前記制御装置による制御の下、光源から射出された光束を光学的に処理して画像信号に対応したカラー画像を形成するユニットである。この光学ユニット４は、図１に示すように、光源装置４１と、照明光学装置４２と、色分離光学装置４３と、リレー光学装置４４と、光学装置４５と、これら各光学部品４１〜４５を内部に設定された照明光軸Ａに対する所定位置に配置する光学部品用筐体４６とを備える。
光源装置４１は、図１に示すように、光源ランプ４１１およびリフレクタ４１２等を備える。そして、光源装置４１は、光源ランプ４１１から射出された光束がリフレクタ４１２によって射出方向が揃えられ、照明光学装置４２に向けて光束を射出する。
【００１６】
照明光学装置４２は、図１に示すように、第１レンズアレイ４２１、第２レンズアレイ４２２、偏光変換素子４２３、および重畳レンズ４２４を備える。そして、光源装置４１から射出された光束は、第１レンズアレイ４２１によって複数の部分光束に分割され、第２レンズアレイ４２２の近傍で結像する。第２レンズアレイ４２２から射出された各部分光束は、その中心軸（主光線）が偏光変換素子４２３の入射面に垂直となるように入射し、偏光変換素子４２３にて略１種類の直線偏光光として射出される。偏光変換素子４２３から直線偏光光として射出され、重畳レンズ４２４を介した複数の部分光束は、光学装置４５の後述する３枚の液晶パネル上で重畳する。
【００１７】
色分離光学装置４３は、図１に示すように、２枚のダイクロイックミラー４３１，４３２、および反射ミラー４３３を備え、これらのダイクロイックミラー４３１，４３２、反射ミラー４３３により照明光学装置４２から射出された複数の部分光束を赤、緑、青の３色の色光に分離する機能を有する。
リレー光学装置４４は、図１に示すように、入射側レンズ４４１、リレーレンズ４４３、および反射ミラー４４２，４４４を備え、色分離光学装置４３で分離された色光、例えば、赤色光を光学装置４５の後述する赤色光側の光変調装置（液晶パネル）まで導く機能を有する。
【００１８】
光学装置４５は、入射した光束を画像情報に応じて変調して画像光（カラー画像）を形成するものである。この光学装置４５は、図１に示すように、光変調素子としての液晶パネル４５１１（図２参照）を有する３つの光変調装置４５１（赤色光側の光変調装置を４５１Ｒ、緑色光側の光変調装置を４５１Ｇ、青色光側の光変調装置を４５１Ｂとする）と、各光変調装置４５１の光路前段側に配置される入射側偏光板４５２と、各光変調装置４５１の光路後段側に配置される視野角補償板４５３および射出側偏光板４５４と、色合成光学装置としてのクロスダイクロイックプリズム４５５とを備える。そして、これら各部材４５１〜４５５のうち、各光変調装置４５１、各視野角補償板４５３、各射出側偏光板４５４、およびクロスダイクロイックプリズム４５５が一体化されて光学装置本体４５Ａを構成する（図２参照）。なお、光学装置本体４５Ａとしては、これら各部材４５１、４５３〜４５５の他、各入射側偏光板４５２も一体化する構成を採用しても構わない。
なお、光学装置本体４５Ａの具体的な構成については、後述する。
【００１９】
３つの入射側偏光板４５２は、色分離光学装置４３で分離された各光束のうち、偏光変換素子４２３で揃えられた偏光方向と略同一の偏光方向を有する偏光光のみ透過させ、その他の光束を吸収するものであり、透光性基板上に偏光膜が貼付されて構成されている。
３つの光変調装置４５１を構成する各液晶パネル４５１１は、一対の透明なガラス基板に電気光学物質である液晶が密閉封入された構成を有し、前記制御装置からの駆動信号に応じて、前記液晶の配向状態が制御され、入射側偏光板４５２から射出された偏光光束の偏光方向を変調する。
【００２０】
３つの視野角補償板４５３は、各光変調装置４５１の光路後段側にそれぞれ配設され、平面視矩形状の透光性基板上に光学補償フィルムが貼付された構成を有する。
前記光学補償フィルムは、液晶パネル４５１１で生じる複屈折による常光と異常光との間に生じる位相差を補償し、液晶パネル４５１１の明視特性を改善するものであり、例えば、トリアセチルセルロース（ＴＡＣ）等の透明支持体上に配向膜を介してディスコティック（円盤状）化合物層を形成したもので構成でき、ＷＶフィルム（富士写真フィルム社製）を採用できる。
【００２１】
３つの射出側偏光板４５４は、入射側偏光板４５２と略同様の機能を有し、液晶パネル４５１１および視野角補償板４５３を介して射出された光束のうち、一定方向の偏光光を透過し、その他の光束を吸収する。これら射出側偏光板４５４は、図１に示すように、光束入射側に配置される第１射出側偏光板４５４１と、光束射出側に配置される第２射出側偏光板４５４２の２体でそれぞれ構成される。そして、第１射出側偏光板４５４１および第２射出側偏光板４５４２は、入射側偏光板４５２と同様に、平面視矩形状の透光性基板上に偏光膜が貼付されて構成されている。
【００２２】
第１射出側偏光板４５４１および第２射出側偏光板４５４２は、光吸収特性が異なるように構成されたものであり、それぞれの偏光軸は平行となるように配置されている。このように射出側偏光板４５４を、２体構成とすることで、例えば１体で構成する場合と比較して、射出側偏光板４５４にて吸収する熱を２体で按分でき、射出側偏光板４５４の熱劣化を防止できる。
なお、第１射出側偏光板４５４１および第２射出側偏光板４５４２は、偏光軸が平行となるように配置されるとともに、入射側偏光板４５２の偏光軸と略直交するように配置される。
【００２３】
クロスダイクロイックプリズム４５５は、射出側偏光板４５４から射出された色光毎に変調された各色光を合成してカラー画像を形成する。このクロスダイクロイックプリズム４５５は、４つの直角プリズムを貼り合わせた平面視略正方形状をなし、直角プリズム同士を貼り合わせた界面には、２つの誘電体多層膜が形成されている。これら誘電体多層膜は、光変調装置４５１Ｇから射出され視野角補償板４５３および射出側偏光板４５４を介した色光を透過し、光変調装置４５１Ｒ，４５１Ｂから射出され視野角補償板４５３および射出側偏光板４５４を介した各色光を反射する。このようにして、各色光が合成されてカラー画像が形成される。そして、クロスダイクロイックプリズム４５５で形成されたカラー画像は、上述した投射レンズ３によりスクリーンへ拡大投射される。
【００２４】
〔光学装置本体の構成〕
図２は、光学装置本体４５Ａの概略構成を示す分解斜視図である。
なお、図２では、光学装置本体４５Ａにおいて、光変調装置４５１Ｂ側のみを分解しているが、各光変調装置４５１Ｒ，４５１Ｇ側も光変調装置４５１Ｂ側と同様の構造を有しているものとする。
光学装置本体４５Ａは、上述した各光変調装置４５１、各視野角補償板４５３、各射出側偏光板４５４、およびクロスダイクロイックプリズム４５５の他、図２に示すように、支持構造体４５６と、３つの保持部材４５７と、１２個の弾性部材４５８とを備え、これら各部材４５１，４５３〜４５８が一体化されたものである。
ここで、３つの射出側偏光板４５４において、各第２射出側偏光板４５４２は、図２に示すように、クロスダイクロイックプリズム４５５の各光束入射側端面にそれぞれ接着剤等により固定される。
【００２５】
また、光変調装置４５１は、上述した液晶パネル４５１１の他、図２に示すように、液晶パネル４５１１を保持する保持枠４５１２を備える。
保持枠４５１２は、液晶パネル４５１１を収納保持する部材であり、図２に示すように、光束入射側に配置される平面視矩形状の保持枠本体４５１２Ａと、光束射出側に配置される平面視略矩形状の遮光板４５１２Ｂとを備える。
【００２６】
保持枠本体４５１２Ａは、図２に示すように、平面視略中央部分に液晶パネル４５１１の画像形成領域に対応した開口部４５１２Ａ１を有している。
また、保持枠本体４５１２Ａにおいて、光束射出側には、具体的な図示は省略するが、開口部４５１２Ａ１の周縁部分に、液晶パネル４５１１における外形形状（段付状）に対応した凹部が形成され、該凹部にて液晶パネル４５１１を収納保持する。
さらに、保持枠本体４５１２Ａにおいて、四隅角部分には、図２に示すように、光束入射側端面および光束射出側端面を貫通し、光変調装置４５１を保持部材４５７に固定するための固定用孔４５１２Ａ２がそれぞれ形成されている。
【００２７】
遮光板４５１２Ｂは、平面視略中央部分に液晶パネル４５１１の画像形成領域に対応した開口部４５１２Ｂ１を有し、保持枠本体４５１２Ａの光束射出側端面に接続することで、液晶パネル４５１１を透過した光が、視野角補償板４５３、射出側偏光板４５４、あるいはクロスダイクロイックプリズム４５５等で反射して液晶パネル４５１１の駆動部にあたり液晶パネル４５１１が誤動作することを防止している。
【００２８】
上述した保持枠４５１２は、熱伝導性を有する材料にて構成されている。
この熱伝導性を有する材料としては、例えば、インバーおよび４２Ｎｉ−Ｆｅ等のニッケル−鉄合金、マグネシウム合金、アルミニウム合金、炭素鋼、ステンレス等の金属、または、カーボンファイバー、カーボンナノチューブ等のカーボンフィラーを混入させた樹脂（ポリカーボネート、ポリフェニレンサルファイド、液晶樹脂等）等が例示できる。なお、保持枠４５１２としては、保持枠本体４５１２Ａおよび遮光板４５１２Ｂを上述した材料のうち同一の材料で構成してもよく、異なる材料で構成してもよい。このように熱伝導性を有する材料で保持枠４５１２を構成することで、光束の照射により液晶パネル４５１１で生じた熱を効率的に保持枠４５１２に放熱することができる。
【００２９】
支持構造体４５６は、図２に示すように、略直方体形状を有し、クロスダイクロイックプリズム４５５の各光束入射側端面に交差する端面である上面に取り付けられ、光学装置本体４５Ａ全体を支持する部材である。
この支持構造体４６には、図２に示すように、四隅角部分から外側に向けて延出し、光学部品用筐体４６に接続する腕部４５６１が形成されている。そして、腕部４５６１を光学部品用筐体４６に接続することで、光学装置本体４５Ａ全体が光学部品用筐体４６に固定される。
【００３０】
３つの保持部材４５７は、光変調装置４５１およびクロスダイクロイックプリズム４５５の間にそれぞれ配設され、各光変調装置４５１、各視野角補償板４５３、および各射出側偏光板４５４における各第１射出側偏光板４５４１をそれぞれ支持し、クロスダイクロイックプリズム４５５に対して固定する部材である。なお、保持部材４５７は、熱伝導性を有する材料にて構成されたものであり、例えば、保持枠４５１２と同一の材料を採用できる。
この保持部材４５７は、図２に示すように、基部としての矩形板状体４５７１と、４つのピン４５７２とを備える。
矩形板状体４５７１において、略中央部分には、図２に示すように、液晶パネル４５１１の画像形成領域に対応して、矩形状の開口部４５７１Ａが形成されている。
【００３１】
また、この矩形板状体４５７１において、左右辺縁は、図２に示すように、上下方向略中央部分が他の部分に対して光束入射側に突出し、段付き状に形成されている。そして、矩形板状体４５７１における左右辺縁の突出部分の光束入射側端部は、図２に示すように、平坦状に形成され、第１射出側偏光板４５４１を支持する第１支持面４５７１Ｂとして機能する。
さらに、この矩形板状体４５７１において、上下辺縁は、図２に示すように、左右方向略中央部分が他の部分に対して光束入射側に突出し、段付き状に形成されている。そして、矩形板状体４５７１における上下辺縁の突出部分の光束入射側端部は、図２に示すように、平坦状に形成され、視野角補償板４５３を支持する第２支持面４５７１Ｃとして機能する。
ここで、第１支持面４５７１Ｂおよび第２支持面４５７１Ｃは、液晶パネル４５１１からの光束の射出方向に沿う位置が互いに異なるように構成されているため、第１射出側偏光板４５４１および視野角補償板４５３が機械的に干渉しない状態でそれぞれ支持する（図３参照）。
そして、保持部材４５７は、クロスダイクロイックプリズム４５５の光束入射側端面に対して、第２射出側偏光板４５４２が開口部４５７１Ａに挿通した状態で、矩形板状体４５７１の光束射出側端面が光硬化型接着剤（紫外線硬化型接着剤）により固定される。
【００３２】
４つのピン４５７２は、矩形板状体４５７１の光束入射側端面における四隅部分から光束入射側に向けて突設され、光変調装置４５１を構成する保持枠４５１２の各固定用孔４５１２Ａ２に挿通される部分である。
そして、保持部材４５７および光変調装置４５１は、４つのピン４５７２を各固定用孔４５１２Ａ２に挿通した状態で、各固定用孔４５１２Ａ２と各ピン４５７２との隙間に介在させた光硬化型接着剤（紫外線硬化型接着剤）により固定される。
【００３３】
１２個の弾性部材４５８は、保持部材４５７および光変調装置４５１の間において、３つの保持部材４５７毎にそれぞれ４つずつ配設される。この弾性部材４５８は、図２に示すように、保持部材４５７のピン４５７２を挿通可能な筒形状を有し、金属製（熱伝導性材料）のコイルばねで構成されている。
そして、弾性部材４５８は、保持部材４５７のピン４５７２が挿通された状態で、保持部材４５７に設置される。
本実施形態では、弾性部材４５８は、弾性変形時（自由長から、約２ｍｍ圧縮時）において、１５ｇ〜４５ｇの範囲の弾性力を有している。
【００３４】
上述した光学装置本体４５Ａは、以下に示すように、製造される。
図３は、光学装置本体４５Ａの製造時の状態を示す図である。
先ず、第１射出側偏光板４５４１および視野角補償板４５３が取り付けられた保持部材４５７の光束射出側端面に光硬化型接着剤を塗布する。そして、支持構造体４５６および各第２射出側偏光板４５４２が取り付けられたクロスダイクロイックプリズム４５５の光束入射側端面に対して、第２射出側偏光板４５４２が開口部４５７１Ａに挿通するように、保持部材４５７の光束射出側端面を密着させる。
次に、図３に示すように、４つの弾性部材４５８に保持部材４５７の４つのピン４５７２を挿通するように、各弾性部材４５８を保持部材４５７に設置する。
【００３５】
次に、４つのピン４５７２の外周部分に光硬化型接着剤を塗布する。
次に、図３に示すように、クロスダイクロイックプリズム４５５に対して光変調装置４５１の位置調整を実施するための位置調整治具１００に光変調装置４５１を保持させ、保持部材４５７の４つのピン４５７２を光変調装置４５１の各固定用孔４５１２Ａ２に挿通させる。この状態では、４つの弾性部材４５８は、保持部材４５７における矩形板状体４５７１の光束入射側端面、および光変調装置４５１における保持枠４５１２の光束射出側端面に当接して弾性変形し、弾性力によって、保持部材４５７をクロスダイクロイックプリズム４５５の光束入射側端面に対して押圧する（図３中、矢印Ｒ方向に押圧）。
【００３６】
上述した状態に設定した後、位置調整治具１００を用いて、クロスダイクロイックプリズム４５５に対して光変調装置４５１を移動させる。そして、クロスダイクロイックプリズム４５５の光束入射側端面と保持部材４５７との接合面を摺動面としてアライメント調整（液晶パネル４５１１に入射する光束の光軸に略直交するＸ軸方向およびＹ軸方向と、前記光軸を中心とする回転方向との調整）を実施する。また、保持枠４５１２と保持部材４５７との接合面、すなわちピン４５７２を介して摺動させることでフォーカス調整（前記光軸に沿う方向と、前記Ｘ軸を中心とした回転方向と、前記Ｙ軸を中心とした回転方向との調整）を実施する。
そして、所定の位置に光変調装置４５１（液晶パネル４５１１）を位置付けた後、紫外線等を照射させることで、上述した光硬化型接着剤を硬化させ、保持部材４５７を介してクロスダイクロイックプリズム４５５に対して光変調装置４５１を固定する。
以上の工程を全ての光変調装置４５１に対して実施することで、光学装置本体４５Ａが製造される。
【００３７】
上述した本実施形態によれば、以下の効果がある。
本実施形態では、光学装置本体４５Ａは、保持部材４５７および光変調装置４５１の間に介在配置される弾性部材４５８を備える。そして、クロスダイクロイックプリズム４５５に対する光変調装置４５１の位置調整時において、位置調整治具１００に光変調装置４５１を保持させ、クロスダイクロイックプリズム４５５の光束入射側端面（保持部材４５７）に対向する位置に光変調装置４５１を位置付けることで、弾性部材４５８が保持部材４５７および光変調装置４５１に当接して弾性変形し、弾性力によって、保持部材４５７をクロスダイクロイックプリズム４５５の光束入射側端面に押圧することができる。このため、クロスダイクロイックプリズム４５５に対する光変調装置４５１の位置調整時において、保持部材４５７をクロスダイクロイックプリズム４５５の光束入射側端面に確実に密着させることができる。すなわち、位置調整の後、光硬化型接着剤を硬化させて固定した場合には、保持部材４５７およびクロスダイクロイックプリズム４５５間の接着面積が低下することなく固定強度を十分に大きいものとし、長期間、使用した場合であっても、クロスダイクロイックプリズム４５５から保持部材４５７が外れてしまう等の不具合が生じることがない。したがって、光学装置本体４５Ａの長寿命化が図れ、ひいては、長期間、使用した場合であっても、投影画像を良好に維持し、プロジェクタ１自体の長寿命化も図れる。
【００３８】
また、光学装置本体４５Ａの構成として弾性部材４５８を採用しているので、クロスダイクロイックプリズム４５５に対する光変調装置４５１の位置調整時において、別途、保持部材４５７をクロスダイクロイックプリズム４５５の光束入射側端面に押し付ける治具等が不要となり、光学装置本体４５Ａの製造効率を向上できる。
【００３９】
ここで、弾性部材４５８は、筒形状を有するコイルばねで構成され、保持部材４５７のピン４５７２を挿通した状態で保持部材４５７に対して設置される。このことにより、例えば、弾性部材を矩形板状体４５７１におけるピン４５７２の形成位置を除く他の位置と保持枠４５１２との間に単に配置する構成と比較して、弾性部材４５８を容易に設置でき、光学装置本体４５Ａの製造効率をさらに向上できる。
【００４０】
また、弾性部材４５８は、弾性変形時において、１５ｇ〜４５ｇの範囲の弾性力を有している。このことにより、弾性部材４５８が弾性変形時に１５ｇ以上の弾性力を有しているので、十分に大きい力で保持部材４５７をクロスダイクロイックプリズム４５５の光束入射側端面に押し付けることができ、保持部材４５７をクロスダイクロイックプリズム４５５の光束入射側端面に確実に密着させることができる。また、弾性部材４５８が弾性変形時に４５ｇ以下の弾性力を有しているので、必要以上に保持部材４５７および光変調装置４５１間に応力を与えることがない。このため、光学装置本体４５Ａを製造した後、弾性部材４５８の応力によって保持部材４５７から光変調装置４５１が外れてしまう不具合を生じさせることがなく、光学装置本体４５Ａの長寿命化が図れる。
【００４１】
さらに、弾性部材４５８は、保持部材４５７の四隅位置にそれぞれ配設されるので、保持部材４５７全体をクロスダイクロイックプリズム４５５の光束入射側端面に押し付けることができ、保持部材４５７をクロスダイクロイックプリズム４５５の光束入射側端面により確実に密着させることができる。
また、弾性部材４５８は、金属製のコイルばねで構成されているので、光変調装置４５１および保持部材４５７に当接した際に、これら各部材４５１，４５７に熱伝達可能に接続することとなる。このため、保持枠４５１２を介して液晶パネル４５１１に生じた熱を弾性部材４５８に伝達させることが可能となるとともに、保持部材４５７を介して第１射出側偏光板４５４１や視野角補償板４５３に生じた熱を弾性部材４５８に伝達させることが可能となる。このため、光学装置本体４５Ａの冷却効率を向上させることができる。
【００４２】
なお、本発明は前述の実施形態に限定されるものではなく、本発明の目的を達成できる範囲での変形、改良等は本発明に含まれるものである。
前記実施形態において、保持部材４５７の構成は、前記実施形態で説明した構成に限らない。
例えば、矩形板状体４５７１において、ピン４５７２の代わりに、保持枠４５１２の外周を保持する起立片を有した構成としても構わない。
また、例えば、第１支持面４５７１Ｂおよび第２支持面４５７１Ｃを省略して第１射出側偏光板４５４１や視野角補償板４５３等の光学素子を支持せずに、光変調装置４５１のみを支持する構成としても構わない。
さらに、例えば、ピン４５７２の数としては、少なくとも２つ設けられていればよい。保持枠４５１２に形成された固定用孔４５１２Ａ２の数も同様である。
【００４３】
前記実施形態では、弾性部材４５８としてコイルばねを採用したが、コイルばねに限らず、その他、スポンジやゴム等の弾性部材を採用しても構わない。このような弾性部材を採用した場合であっても、ピン４５７２を挿通可能な筒形状とすることが好ましい。また、熱伝導性材料から構成することが好ましい。
前記実施形態では、クロスダイクロイックプリズム４５５の光束入射側端面に直接、保持部材４５７が固定される構成としていたが、これに限らず、クロスダイクロイックプリズム４５５の光束入射側端面に熱伝導性を有する透光性基板（例えば、水晶板）等を貼り付け、該透光性基板に保持部材４５７が固定される構成としても構わない。この場合には、クロスダイクロイックプリズム４５５の光束入射側端面は、前記透光性基板の面で構成されることなる。
【００４４】
前記実施形態において、プロジェクタ１の構成は、前記実施形態で説明した構成に限らない。
例えば、光源装置４１は、放電発光型の光源装置で構成していたが、これに限らず、レーザダイオード、ＬＥＤ（Light Emitting Diode）、有機ＥＬ（Electro Luminescence）素子、シリコン発光素子等の各種固体発光素子を採用してもよい。
また、光源装置４１を１つのみ用い色分離光学装置４３にて３つの色光に分離していたが、色分離光学装置４３を省略し、３つの色光をそれぞれ射出する３つの前記固体発光素子を光源装置として構成してもよい。
さらに、プロジェクタ１は、液晶パネル４５１１を３つ備える三板式のプロジェクタで構成していたが、これに限らず、液晶パネルを１つ備える単板式のプロジェクタで構成しても構わない。また、液晶パネルを２つ備えるプロジェクタや、液晶パネルを４つ以上備えるプロジェクタとして構成しても構わない。
前記実施形態では、スクリーンを観察する方向から投射を行うフロントタイプのプロジェクタの例のみを挙げたが、本発明は、スクリーンを観察する方向とは反対側から投射を行うリアタイプのプロジェクタにも適用可能である。
【産業上の利用可能性】
【００４５】
本発明の光学装置は、長寿命化が図れるため、プレゼンテーションやホームシアタ等に用いられるプロジェクタの光学装置に利用できる。
【図面の簡単な説明】
【００４６】
【図１】本実施形態におけるプロジェクタの概略構成を模式的に示す図。
【図２】前記実施形態における光学装置本体の概略構成を示す分解斜視図。
【図３】前記実施形態における光学装置本体の製造時の状態を示す図。
【符号の説明】
【００４７】
１・・・プロジェクタ、３・・・投射レンズ（投射光学装置）、４１・・・光源装置、４５・・・光学装置、４５１・・・光変調装置、４５５・・・クロスダイクロイックプリズム（色合成光学装置）、４５７・・・保持部材、４５８・・・弾性部材、４５１１・・・液晶パネル（光変調素子）、４５１２・・・保持枠、４５１２Ａ２・・・固定用孔、４５７１・・・矩形板状体（基部）、４５７２・・・ピン。
【図１】
2008224906.tif 000003
【図２】
2008224906.tif 000004
【図３】
2008224906.tif 000005